(57)【特許請求の範囲】
【請求項１】
前面が開口してなる本体キャビネットと、この本体キャビネットの前面に開閉自在に取り付けられた外扉とを備え、外扉をロック・アンロックするシリンダー錠付き主ロック装置に並べてシリンダー錠付き補助ロック装置を配し、前記補助ロック装置をダミー錠として成る自動販売機において、前記ダミー錠はシリンダー錠の外筒を模して形成されるとともに前面に開口する中空の溝を備え、このダミー錠における溝の背後に検出センサーを着脱自在に取り付けたことを特徴とする自動販売機。
【請求項２】
請求項１に記載した自動販売機において、検出センサーは人体検出センサーであることを特徴とする自動販売機。
【請求項３】
請求項１に記載した自動販売機において、検出センサーは監視カメラであることを特徴とする自動販売機。
【発明の詳細な説明】
【技術分野】
【０００１】
この発明は、前面が開口してなる本体キャビネットと、この本体キャビネットの前面に開閉自在に取り付けられた外扉とを備えた自動販売機に係り、特に防盗性を強化するために外扉をロック・アンロックするシリンダー錠付き主ロック装置に並べてシリンダー錠付き補助ロック装置を配した自動販売機に関する。
【背景技術】
【０００２】
飲料自動販売機として一般的な缶入り飲料，ペットボトル入り飲料などの商品を販売する自動販売機の構成を図４に示す。図４は缶入り飲料，ペットボトル入り飲料などの商品を販売する自動販売機の正面図であり、図において、１０は断熱材で囲まれた庫内に缶入り飲料などの商品を格納した本体キャビネットであり、本体キャビネット１０の庫内には、断熱仕切壁により左右方向に複数の商品収納室に区分され、各商品収納室は、缶入り飲料などの商品を収納するとともにその下端に、商品選択ボタンの操作により商品を搬出する商品払出機構を有する商品収納ラックが収設され、また、各商品収納室の下部には、当該各商品収納室を冷却もしくは加熱して商品収納ラックに収納した商品を冷蔵・温蔵状態に保存する冷却／加熱ユニットが配設されている。
【０００３】
２０は本体キャビネット１０の前面にヒンジ２０ａにより開閉自在に装着された外扉である。この外扉２０の前面の上部域は透明パネル４０で覆われたディスプレイ室５０として形成されている。このディスプレイ室５０には本体キャビネット１０の庫内に収納した商品に対応した複数の商品見本８０を左右に一列に並べて載置したディスプレイ台７０が上下方向に３段取り付けられている。前記透明パネル４０には、各ディスプレイ台７０と対峙する位置に商品選択ボタンユニット９０が設けられ、商品選択ボタンユニット９０は、ディスプレイ台７０に載置された各商品見本８０に対応して左右に一列に並べて設けた商品選択ボタン９０aを有している。前記外扉２０のディスプレイ室５０の下方には操作パネルＰが設けられ、この操作パネルＰには硬貨投入口２０１、紙幣投入口２０２、返却レバー２０３、投入金額，庫内温度，販売中，準備中などの各種情報をディスプレイに表示する販売情報表示部２０４、シリンダー錠付きの主ロック装置Ｌ１およびシリンダー錠付きの補助ロック装置Ｌ２が組付けられている。また、前記外扉２０の前面には釣銭返却口２０５、商品販売口２０６、ロゴタイプや広告情報を表示する広告展示部２０７が配設されている。なお、ディスプレイ室５０の上部およびディスプレイ台７０の下部には商品見本８０などを明るく照らす照明光源としての蛍光灯（不図示）が配設されている。
【０００４】
かかる自動販売機は前記本体キャビネット１０の前面を閉塞するように外扉２０を閉じた状態においてキー操作により補助ロック装置Ｌ１および主ロック装置Ｌ２を施錠して外扉２０を閉じた状態で商用電源からの電力供給を受けてディスプレイ室５０内の蛍光灯を点灯制御することにより商品見本８０などを明るく照らし出すとともに冷却／加熱ユニットを運転制御することにより庫内の商品を冷却／加熱する。硬貨または紙幣が投入されると不図示のコインメカニズムまたは紙幣識別装置で識別して投入金額を積算して販売情報表示部２０４に表示するととともに前記投入金額と商品販売価格とを比較して商品選択ボタン９０ａの販売可能ランプを点灯制御する。商品選択ボタン９０ａが操作されると対応する商品収納ラックに搭載された商品払出機構に販売信号を供給する。この販売信号に基づいて前記商品払出機構はソレノイドの励磁・釈放動作により商品収納ラックに収納した商品を１個づつ搬出する。なお、投入金額と商品販売価格とを演算して投入金額が商品販売価格を超えている場合にはコインメカニズムを制御して釣銭を払い出す。
【０００５】
この種の自動販売機は屋外に設置されることから外扉２０をロックするロック装置を破壊して自動販売機内部の金銭や商品の盗難が発生している。このような盗難を抑制し防犯性を高めるために前述したようにシリンダー錠付きの主ロック装置Ｌ１およびシリンダー錠付きの補助ロック装置Ｌ２が組付けられ、主ロック装置Ｌ１および補助ロック装置Ｌ２をそれぞれキー操作して施錠するように構成されている。前記主ロック装置Ｌ１および補助ロック装置Ｌ２による二重ロック方式の扉ロック装置においては高い防盗性が確保できるものの、シリンダー錠を２個必要とすることからコストアップとなり、操作面でも二重のキー操作による施錠・解錠を要するためにキーの管理，操作が面倒であるほか、補助シリンダー錠を掛け忘れる操作ミスも起こり易い。そのため、補助シリンダー錠を使わずに、主ロック装置Ｌ１のハンドルの操作だけで自動的に二重ロックできるようにして防盗性の強化，並びに操作性の改善を図った自動販売機が知られている（例えば、特許文献１）。この場合、補助ロック装置Ｌ２のシリンダー錠に代えて当該シリンダー錠の外筒を模したダミー錠を取り付けることにより二重ロックのイメージを残して盗難の抑止が行われている。
【０００６】
また、自動販売機の内部に監視カメラを設置し、扉ロック装置などの破壊行為に対抗するために外部からの異常行為があったときに自動販売機の周辺の状況を撮影したり、自動販売機の設置場所周辺地域の監視するようにした自動販売機も知られている（例えば、特許文献２）。前記監視カメラで撮影した映像は自動販売機に内蔵された磁気テープや磁気ディスクに記録したり、画像データをセンター装置に送信するようにされている。一方、自動販売機の防犯を意図したものではないが、自動販売機の前面に人体が接近したことを感知して信号を出力する人体検出センサーを備え、この人体検出センサー信号に基いてディスプレイ室５０の蛍光灯を点灯するようにした自動販売機も知られている（例えば、特許文献３）。
【０００７】
【特許文献１】特開２００２−３０８４２号公報
【特許文献２】特開平７−９３６５２号公報
【特許文献３】特開平５−３２５００１号公報
【発明の開示】
【発明が解決しようとする課題】
【０００８】
ところで、特許文献１に開示された自動販売機においては、補助ロック装置Ｌ２のシリンダー錠に代えてダミー錠を取り付けることにより二重ロックのイメージを残すことにより盗難の抑止効果を有するものの、ダミー錠は自動販売機の前面パネルの一部を占有することからデッドスペースとなるものである。また、特許文献２に開示された自動販売機においては、監視カメラをディスプレイ室５０（図４参照）の背後に設置するように構成されており、監視カメラの設置のために自動販売機を新たに設計しなければならないと共にディスプレイ室５０の前面を形成する透明パネル４０に写る商品見本８０などの像が画像に映り込むという課題がある。更に、特許文献３には人体感知センサーの自動販売機への設置場所は明示されていないが、人体感知センサーを自動販売機に搭載するにはその設置場所を確保する必要があり、自動販売機を改めて設計する必要がるという課題がある。
【０００９】
本発明は上記の点に鑑みなされたものであり、その目的は前記課題を解決し、大幅な改造や部品の変更を行うことなく人体検出センサーなどの検出センサーを取り付けることが可能な自動販売機を提供することにある。
【課題を解決するための手段】
【００１０】
上記目的を達成するために請求項１に係る発明は、前面が開口してなる本体キャビネットと、この本体キャビネットの前面に開閉自在に取り付けられた外扉とを備え、外扉をロック・アンロックするシリンダー錠付き主ロック装置に並べてシリンダー錠付き補助ロック装置を配し、前記補助ロック装置をダミー錠として成る自動販売機において、前記ダミー錠はシリンダー錠の外筒を模して形成されるとともに前面に開口する中空の溝を備え、このダミー錠における溝の背後に検出センサーを着脱自在に取り付けたことを特徴とする。
【００１１】
また、請求項２に係る発明は請求項１に記載した自動販売機において、検出センサーは人体検出センサーであることを特徴とする。更に、請求項３に係る発明は請求項１に記載した自動販売機において、検出センサーは監視カメラであることを特徴とする。
【発明の効果】
【００１２】
本発明の請求項１に係る自動販売機においては、前面が開口してなる本体キャビネットと、この本体キャビネットの前面に開閉自在に取り付けられた外扉とを備え、外扉をロック・アンロックするシリンダー錠付き主ロック装置に並べてシリンダー錠付き補助ロック装置を配し、前記補助ロック装置をダミー錠として成る自動販売機において、前記ダミー錠はシリンダー錠の外筒を模して形成されるとともに前面に開口する中空の溝を備え、このダミー錠における溝の背後に検出センサーを着脱自在に取り付けたことにより、ダミー錠としての機能、つまり、外扉の扉ロック装置として二重ロックのイメージを残して盗難の抑止効果を維持しつつ当該ダミー錠の設置場所を検出センサーの設置場所として兼用することができ、従って、既設の自動販売機にも大幅な改造を行うことなく検出センサーを取り付けることが可能となる。
【００１３】
また、本発明の請求項２に係る自動販売機のように、検出センサーを人体検出センサーとすることにより、省エネを目的として昼間は消灯されているディスプレイ室の蛍光灯を前記人体検出センサー信号に基いて点灯制御する自動販売機を安価に提供することができる。更に、本発明の請求項３に係る自動販売機のように、検出センサーを監視カメラとすることにより自動販売機を破壊して自動販売機内部の金銭や商品を盗み出す盗難行為を監視することができると共に自動販売機を設置した周辺の状況を監視することもできる自動販売機を安価に提供できる。
【発明を実施するための最良の形態】
【００１４】
以下、本発明における自動販売機の実施の形態を図１乃至図３に示す実施例に基づいて説明する。
図１は本発明の実施の形態である自動販売機における外扉の要部背面を示し、検出センサーを外扉から分解した斜視図、図２は図１に示した検出センサーを外扉に取り付けた状態を示す斜視図、図３は図２に示した検出センサーを外扉に取り付けた状態を示す側面図である。
【００１５】
図１において２０で再び外扉を示し、２０Ａは外扉２０の外周枠を形成し、扉ロック装置が配設させるところの自動販売機を正面から見て右枠である。この右枠２０Ａは中空の水平断面方形に形成され、その中空内部に上下方向に延在するスライド可能なロックバーＬＢが配設されている。このロックバーＬＢは本体キャビネットに固着された鉤状のロック爪と係合・離脱するように構成されている。ＬＣは前記ロックバーＬＢと係合すると共に主ロック装置Ｌ１（図４参照）の操作ハンドルに連結された操作カムであり、操作ハンドルの回転に伴って旋回することによりロックバーＬＢを上下移動させる。
【００１６】
ここで、扉ロック装置の動作について説明すると、本体キャビネットの前面を閉塞するように外扉２０を閉じて主ロック装置Ｌ１を施錠した状態では前記ロックバーＬＢが本体キャビネットのロック爪と係合して外扉２０はロックされた状態にある。主ロック装置Ｌ１をキーにより解錠すると操作ハンドルがポップアップし、この操作ハンドルを時計方向に回転させると操作カムＬＣも時計方向に旋回（図１では上方向に旋回）してロックバーＬＢを上昇させる。このロックバーＬＢの上昇によりロックバーＬＢと本体キャビネットのロック爪と係合が解除され、これにより外扉を開放することができる。
【００１７】
さて、図１において、１は合成樹脂により形成されたダミー錠であり、これはシリンダー錠付きの補助ロック装置Ｌ２（図４参照）のシリンダー錠の外筒を模して形成されている。このダミー錠１は、図３に示すように、シリンダー錠の外筒に相当する有底中空形状をなすとともにキー溝１１が開口され、このキー溝１１はダミー錠１を貫通するように形成されている。前記ダミー錠１はダミー錠保持金具２にナット３により固着されている。また、ダミー錠保持金具２の前面側（ナット３と反対側）にはクッション４が貼着されている。そして、ナット３によりダミー錠１をダミー錠保持金具２に組み付けるとともにダミー錠保持金具２にクッション４を貼着することによりモジュールとして組み立てられおり、このモジュールを錠部品５という。
【００１８】
前記錠部品５は標準品として外扉２０に組み付けらるものであり、前記錠部品５の外扉２０への組み付けは、外扉２０の前面パネル２１に溶接により取り付けられている上下一対の錠部品取付金具２２に固着することにより行われる。すなわち、ダミー錠保持金具２の上片には上側の錠部品取付金具２２が貫通可能な孔２ａが形成されており、ダミー錠保持金具２の孔２ａを上側の錠部品取付金具２２に引っ掛けて錠部品５を垂下させる。このとき、錠部品５のダミー錠１は前面パネル２１に形成された窓から前方に露出する。この状態でダミー錠保持金具２の下片を下側の錠部品取付金具２２にねじＳ２により固定する。このようにして錠部品５を外扉２０に組み付けることによりダミー錠１が外扉２０の前面に露出して扉ロック装置があたかも二重ロックであるようなイメージを与える。この錠部品５が組み付けられた自動販売機は標準機として出荷される。
【００１９】
図１に戻り、６は人体検出センサーであり、この人体検出センサー６が請求項１に記載した検出センサーを構成する。７は人体検出センサー６を取り付けるためのセンサー取付金具であり、断面略Ｚ字状に形成されている。このセンサー取付金具７の上方に延在する長脚には切欠き７１が形成されるとともに長脚に対して鉛直に折り曲げられた固定片７２が形成され、下方に延在する短脚にはねじ穴７３が形成されている。前記人体検出センサー６には樹脂製の結束バンド８が巻き付けられており、その結束バンド８を前記固定片７２にねじＳ１により固着することによって人体検出センサー６がセンサー取付金具７に固定される。この場合、人体検出センサー６はセンサー取付金具７の切欠き７１を通して前面側に臨むように位置決めされる。
【００２０】
前述のように人体検出センサー６が固着されたセンサー取付金具７の外扉２０への取り付けは、センサー取付金具７の切欠き７１を通して前面に臨む人体検出センサー６の検出端がダミー錠１に対峙する方向に向け、センサー取付金具７の短脚を錠部品取付金具２２の下片に当接させる。なお、センサー取付金具７を外扉２０に取り付けるにあたって、ダミー錠保持金具２の下片を下側の錠部品取付金具２２に固定していたねじＳ２は予め取り外されている。前述のように、センサー取付金具７の短脚を錠部品取付金具２２の下片に対峙させた後、ねじＳ２をセンサー取付金具７の短脚に形成されたねじ穴７３を通して錠部品取付金具２２に螺合させて締付ける。これによってセンサー取付金具７およびダミー錠保持金具２が錠部品取付金具２２にねじＳ２によって共締めされて固定される。このように、前記センサー取付金具７を介して人体検出センサー６が外扉２０に取り付けられた状態を図２および図３に示している。
【００２１】
図３に示すように、センサー取付金具７を介して外扉２０に取り付けられた人体検出センサー６はダミー錠１の背後に位置している。そして、人体検出センサー６の検出端はダミー錠１の中空部に臨んでキー溝１１に対峙している。商品を購入する利用者は自動販売機に硬貨または紙幣を投入するために操作パネルＰ（図４参照）の略正面の位置に立ち止まる。そうすると、操作パネルＰの近傍に配設されたダミー錠１のキー溝１１を介して人体検出センサー６は人体の熱を感知して信号を出力する。このように、ダミー錠１が操作パネルＰの近傍に位置していることから人体検出センサー６の検出範囲を比較的狭く設定して商品を購入する利用者に対しては人体検出センサー６が作動し、自動販売機の前を通行する通行人に対しては人体検出センサー６が作動しないようにすることができる。従って、ダミー錠１の背後に人体検出センサー６を配設することによって自動販売機の利用者と通行人とを容易に区別することができる。
【００２２】
前述した実施の形態の自動販売機においては、ダミー錠１の背後に配設される検出センサーとして人体検出センサー６について説明したが、検出センサーとしては人体検出センサー６に限らず、例えば監視カメラとすることもできる。この監視カメラの場合には自動販売機の破壊行為があったときに自動販売機の周辺の状況を撮影したり、自動販売機の設置場所周辺地域の監視することが可能となる。また、検出センサーとして外気温度を検出する温度センサーとすることもできるものであり、検出センサーは図１乃至図３に示した実施の形態の自動販売機における人体検出センサー６に限定されるものではない。
【００２３】
以上説明した本発明は、前面が開口してなる本体キャビネット１０（図４参照）と、この本体キャビネット１０の前面に開閉自在に取り付けられた外扉２０とを備え、外扉２０をロック・アンロックするシリンダー錠付き主ロック装置Ｌ１（図４参照）に並べてシリンダー錠付き補助ロック装置Ｌ２（図４参照）を配し、前記補助ロック装置Ｌ２をダミー錠１として成る自動販売機において、前記ダミー錠１はシリンダー錠の外筒を模して形成されるとともに前面に開口する中空の溝（キー溝１１）を備え、このダミー錠における溝（キー溝１１）の背後に検出センサー（人体検出センサー６など）を取り付けたことにより、ダミー錠１としての機能、つまり、外扉２０の扉ロック装置として二重ロックのイメージを残して盗難の抑止効果を維持しつつ当該ダミー錠１の設置場所を検出センサーの設置場所として兼用することができ、かつ、既設の自動販売機にも大幅な改造を行うことなく検出センサーを取り付けることが可能となる。
【産業上の利用分野】
【００２４】
以上に説明した本発明に係る自動販売機は缶入り飲料、ペットボトル入り飲料等の商品を販売する自動販売機に加えてたばこなどの物品を販売する自動販売機、機体内に貯蔵若しくは原料から調理製造した飲料や食品を販売する自動販売機などに有用である。
【図面の簡単な説明】
【００２５】
【図１】本発明の実施の形態である自動販売機における外扉の要部背面を示し、検出センサーを外扉から分解した斜視図である。
【図２】図１に示した検出センサーを外扉に取り付けた状態を示す斜視図である。
【図３】図２に示した検出センサーを外扉に取り付けた状態を示す側面図である。
【図４】本発明の実施対象である自動販売機の一例を示す飲料自動販売機の正面図である。
【符号の説明】
【００２６】
１    ダミー錠
２    ダミー錠保持金具
５    錠部品
６    検出センサー（人体検出センサー）
７    センサー取付金具
１０    本体キャビネット
２０    外扉
２１    前面パネル
２２    錠部品取付金具
【図１】
0005163249.tif 000002
【図２】
0005163249.tif 000003
【図３】
0005163249.tif 000004
【図４】
0005163249.tif 000005